(57)【要約】【課題】パーソナルコンピュータを用いずにデータを入力できる発光表示装置を提供する。【解決手段】半導体発光素子をマトリックス状に配置した表示部を備えた発光表示装置において、記憶媒体に記憶された画像データの読み取りを行う読み取り部と、この読み取り部から読み出されたデータに演算を行って前記表示部の解像度に合わせた加工データにする加工部とを備えたことを特徴とする発光表示装置としたものであり、デジタルカメラ等から取り出した記憶媒体から直接データを読み取り、このデータを表示部に表示させる。【選択図】　図１
2004144968.tif 000002
【特許請求の範囲】
【請求項１】
半導体発光素子をマトリックス状に配置した表示部を備えた発光表示装置において、
記憶媒体に記憶された画像データの読み取りを行う読み取り部と、この読み取り部から読み出されたデータに演算を行って前記表示部の解像度に合わせた加工データにする加工部とを備えたことを特徴とする発光表示装置。
【請求項２】
前記加工部は、前記読み取り部から読み取るデータを選択し、前記表示部に表示されたデータから切り取り範囲を選択可能な操作手段を備えていることを特徴とする請求項１に記載の発光表示装置。
【請求項３】
前記読み取り部は、前記記憶媒体の着脱部を備え、この着脱部には、防水手段を設けていることを特徴とする請求項１または２に記載の発光表示装置。
【請求項４】
前記記憶媒体の着脱部は、前記表示部、前記読み取り部および前記加工部が設けられた筐体の下側または裏側に設けられていることを特徴とする請求項３に記載の発光表示装置。
【発明の詳細な説明】
【０００１】
【発明の属する技術分野】
本発明は、たとえば屋外または屋内に設置され、看板等に利用される発光ダイオード（ＬＥＤ）等の半導体発光素子を用いた発光表示装置に関する。
【０００２】
【従来の技術】
従来、赤（Ｒ）、緑（Ｇ）、青（Ｂ）のＬＥＤを利用した発光表示装置は、その表示形態から映像表示タイプとグラフィックス表示タイプに分類できる。映像表示タイプの場合、映像ソースとして、テレビ、ビデオデッキ、レーザーディスクプレイヤ、ビデオカメラ等のＮＴＳＣ方式の映像信号を使用することが多い（例えば特許文献１参照）。このタイプの表示データを作成するには、一般的に高価な編集機材を用いる。
【０００３】
一方、グラフィックス表示タイプでは、表示色が８色のマルチカラー表示のものがほとんどであるが、一部で各色２５６階調のフルカラー表示可能なものが存在する。図３にグラフィックス表示タイプの画像表示システムの構成例を示す。画像表示システムは、パーソナルコンピュータ６０と発光表示装置５２で構成されており、パーソナルコンピュータ６０と発光表示装置５２は表示信号５８で接続される。発光表示装置５２は、ＣＰＵボード５３、コントローラ５４、ＬＥＤモジュール５５、筐体５６および電源５７により構成されている。
【０００４】
パーソナルコンピュータ６０は、発光表示装置５２により表示する表示信号５８を作成し、発光表示装置５２へ送出する。発光表示装置５２は、この表示信号５８をＣＰＵボード５３によって受信し、受信した表示信号５８を表示データに分解し、コントローラ５４へ送る。コントローラ５４は、この表示データを、ＬＥＤモジュール５５を動作させるための信号へ変換する。
【０００５】
図４はパーソナルコンピュータによる従来の表示信号５８の作成手順を示している。
【０００６】
まず、イメージスキャナやデジタルカメラのデータを読み込むための画像読込用ソフトウェアを起動し（ステップＳ２０１）、読み込んだ画像データをモニター画面上へ表示して確認した後（ステップＳ２０２）、この読み込んだ画像データをファイルとしてパーソナルコンピュータ６０に保存する（ステップＳ２０３）。
【０００７】
次に、別の画像編集用ソフトウェアを起動して（ステップＳ２０４）、ステップＳ２０３で保存したファイルを読み込み、発光表示装置５２へ表示させたい領域を選択する（ステップＳ２０５）。そして、発光表示装置５２の表示領域に適したサイズにトリミングや縮小・拡大を行ってスケーリングを行い（ステップＳ２０６）、ファイルに保存する（ステップＳ２０７）。
【０００８】
さらに、別の表示装置用ソフトウェアを起動して（ステップＳ２０８）、表示させたい順序に応じてステップＳ２０７で保存したファイルの読み込みと登録を行う（ステップ２０９）。
【０００９】
【特許文献１】
特開平１１−３０９７１号公報（第３頁、第９図）
【００１０】
【発明が解決しようとする課題】
しかしながら、前記従来の画像表示システムには、入力データを作成するためにパーソナルコンピュータが必須であるが、パーソナルコンピュータおよび各ソフトウェアの操作に熟練しなければ、見栄えのよいデータが作成できないため、表示データの入れ替え操作が非常に困難であるという問題がある。
【００１１】
このため、画像表示システムを導入した当時のデータのまま、データを更新せずに使用することが多い。
【００１２】
そこで本発明は、パーソナルコンピュータを用いずにデータを入力できる発光表示装置を提供することを目的とする。
【００１３】
【課題を解決するための手段】
本発明の発光表示装置においては、半導体発光素子をマトリックス状に配置した表示部を備えた発光表示装置において、記憶媒体に記憶された画像データの読み取りを行う読み取り部と、この読み取り部から読み出されたデータに演算を行って前記表示部の解像度に合わせた加工データにする加工部とを設けたものである。
【００１４】
この発明によれば、パーソナルコンピュータを用いずにデータの入力ができる発光表示装置が得られる。
【００１５】
【発明の実施の形態】
本発明の請求項１に記載の発明は、半導体発光素子をマトリックス状に配置した表示部を備えた発光表示装置において、記憶媒体に記憶された画像データの読み取りを行う読み取り部と、この読み取り部から読み出されたデータに演算を行って前記表示部の解像度に合わせた加工データにする加工部とを備えたことを特徴とする発光表示装置としたものであり、デジタルカメラ等から取り出した記憶媒体から直接データを読み取り、このデータを表示部に表示させるという作用を有する。
【００１６】
請求項２に記載の発明は、前記加工部は、前記読み取り部から読み取るデータを選択し、前記表示部に表示されたデータから切り取り範囲を選択可能な操作手段を備えていることを特徴とする請求項１に記載の発光表示装置としたものであり、操作部を設けることにより複数のデータを選別して不適なデータを除去し、切り取り範囲を選択することにより、データの特徴部分を抜き出すことができる。
【００１７】
請求項３に記載の発明は、前記読み取り部は、前記記憶媒体の着脱部を備え、この着脱部には、防水手段を設けていることを特徴とする請求項１または２に記載の発光表示装置としたものであり、発光表示装置が濡れても着脱部に水分が浸入しにくくなるという作用を有する。
【００１８】
請求項４に記載の発明は、前記記憶媒体の着脱部は、前記表示部、前記読み取り部および前記加工部が設けられた筐体の下側または裏側に設けられていることを特徴とする請求項３に記載の発光表示装置としたものであり、雨等の水分が着脱部の内部に浸入しにくくなるという作用を有する。
【００１９】
以下、本発明の実施の形態について、図１、図２を用いて説明する。
【００２０】
図１は本発明の発光表示装置の構成図を示す。図１に示すように、本発明の発光表示装置１は、赤（Ｒ）、緑（Ｇ）、青（Ｂ）の半導体発光素子を１ドットとして、長辺を４８ドット、短辺を３２ドットにマトリックス状に配置してフルカラー表示可能な表示部２、この表示部２に表示するデータを保持する記憶部３およびこの記憶部３に画像データを入力する読み取り部４を有している。
【００２１】
発光表示装置１は、人力で移動可能な軽量の装置で、屋外または屋内に設置することができる。
【００２２】
発光表示装置１は、縦横ともに１ｍ程度の大きさに形成され、厚みが薄く形成されているので、歩道上のような狭い通路においても邪魔にならない。
【００２３】
また、発光表示装置１の表示部２は、半導体発光素子を用いて画像を表示しているので、液晶やプラズマの表示装置より明るく、屋外でも十分に表示することができる。
【００２４】
読み取り部４は、記憶媒体の読み取り装置によって構成されている。ここで、記憶媒体とは、記憶メディアや記録媒体とも呼ばれるデータを記録しておくための媒体で、電気的、磁気的、または光学的に記憶を行うものが主流であるが、特には、デジタルカメラやデジタルビデオカメラ等の撮像装置に内蔵可能で、ドライブが小型であるものが好ましい。このような記憶媒体としては、例えば、コンパクトフラッシュ（登録商標）、スマートメディア（商標）、メモリースティック（商標）、ＳＤカード等がある。読み取り部４を設けることにより、撮像装置で撮影した画像データを、パーソナルコンピュータを介さずに直接読み取ることができる。本実施の形態においては、記憶媒体として例えばスマートメディアを用い、これをコンパクトフラッシュ（登録商標）インターフェイスに変換する変換アダプタに接続してから読み取り部４のコントローラに接続する構成にしている。かかる構成によって、コンパクトフラッシュ（登録商標）より小型の記憶媒体を１台のコントローラに接続することができる。
【００２５】
記憶部３は、データを電気的、磁気的、または光学的に記憶を行うもので、固定式のものが用いられているが、着脱式のものにすることも可能である。
【００２６】
記憶部３は、複数のデータを記憶しておくことができる。
【００２７】
発光表示装置１には、加工部６が設けられている。
【００２８】
加工部６は、記憶部３との間で入出力を行うことができ、読み取り部４との間でも入出力を行うことができ、また、表示部２に加工データを出力することができる。
【００２９】
加工部６は、加工部６を操作する操作手段７および読み取り部４から読み取ったデータに所定の演算を行って加工データにする加工手段８を備えている。
【００３０】
加工手段８は、データ解析回路およびデータ演算回路（図示せず）を有している。データ解析回路は、画像データの種類、大きさや色等の各種情報を読み取ることができる。
【００３１】
データ演算回路は、例えば、読み取った画像を拡大、縮小、移動、コントラスト変換、または無変換等する機能を有している。
【００３２】
例えば、読み取った画像の方が解像度が高い場合は、これを表示部２の解像度に合わせて縮小してデータを間引いた加工データを形成することができる。また、暗い画像を明るくしたりするコントラストの調整も自動的に行うように設定することができる。
【００３３】
加工手段８において加工された加工データは、自動的に表示部２に送られて表示される。
【００３４】
操作手段７は、筐体１１の表面に露出して配置され、複数個の押しボタンにより、各操作を行うことができる。
【００３５】
操作手段には小型の液晶ディスプレイを設けてここに操作内容を表示することができ、また、操作内容を表示部２に表示する構成にすることも可能である。また、操作手段に受信機を設け、送信機能付きの遠隔操作パネルを用いて離れた位置から操作することも可能である。かかる構成によって、表示部２に用いた半導体発光素子の視認範囲が狭い場合でも、表示部２の正面から画像を見て各種の操作を行うことができる。
【００３６】
操作手段７は、加工手段８が読み取り部４から読み取るデータを選択することができる。例えば、操作手段７から加工手段８を介して読み取り部４にデータ要求信号を送信すると、読み取り部４は、前回送信したデータの次のデータを加工手段８に送信する。これを繰り返して、所望のデータを呼び出し、このデータを確定することにより、このデータは、データ解析回路により解析される。
【００３７】
また、操作手段７は、加工手段８のデータ演算回路が行う演算の種類を選択することができ、さらに加工手段８において加工された加工データを、記憶部３に記録するか否かを選択することができる。
【００３８】
例えば、読み取り部４から読み出されたデータを９分割して、任意の範囲を選択して切り取り、この部分をさらに拡大、縮小して表示部２に表示することができる。
【００３９】
操作者は、表示部２に表示された加工データを見て、再度この加工データに対し所定の演算を行うことができ、また、加工データをキャンセルして元の画像データに対して他の演算を行うことができる。そして、所望の加工データを確認して、記憶部３にこの加工データを保存する。
【００４０】
記憶部３は、加工手段８から送られる加工データを順番に複数枚記憶することができる。
【００４１】
加工手段８は、記憶部３に記録されたデータを読み取り、これを表示部２に表示することができる。
【００４２】
加工手段８は、前述した機能の他に、スライドと呼ばれるような、所定時間ごとに表示する画像をスクロールして切り替える機能等の特殊機能を有しており、操作手段７によって、これらの再生時の特殊機能を選択することができる。
【００４３】
表示部２、記憶部３、読み取り部４および加工部６は、防水性を有する筐体１１内に配置されている。また、筐体１１の表面に露出している操作手段７にも防水加工が施されている。
【００４４】
読み取り部４に設けられた記憶媒体の着脱部である開口部は、上方からの雨水の浸入を防止するため、筐体１１の下側または裏側に開口して配置されており、この開口部には、着脱可能な防水手段の一例である防水蓋部が設けられている。
【００４５】
次に、発光表示装置１の使用手順について図２のフロー図に基づいて説明する。
【００４６】
まず、デジタルカメラまたはデジタルカメラ機能付きデジタルビデオカメラ等の撮像装置を用いて、発光表示装置１に表示したい画像を撮影する（ステップＳ１０１）。
【００４７】
次に、前記撮像装置から記憶媒体（記録メディア）の一例であるスマートメディアを取り出し（ステップＳ１０２）、変換アダプタに装着して（ステップＳ１０３）、発光表示装置１の読み取り部４のコントローラに差し込んで接続する（ステップＳ２０１）。
【００４８】
次いで、操作手段７を操作して、読み取り部４から加工部６にデータを読み出す（ステップＳ２０２）。このとき、読み出したデータは、表示部２に自動的に表示される。なお、読み出す写真が複数枚あるときは、操作手段７によって、スライドショー等の特殊機能を予め選択しておくことができる。
【００４９】
読み出したデータから、加工部６のデータ解析回路を用いて画像情報を読み出し（ステップＳ２０３）、操作手段７によって演算の種類を選択し、データ演算回路を用いて所定の演算処理を行い、加工データを作成する（ステップＳ２０４）。
【００５０】
演算処理後は、自動的に表示部２へ加工データが表示される（ステップＳ２０５）。操作者は、好みの表示画像が得られるまで演算を繰り返し行い、その後、操作手段７を操作して、記憶部３に加工データを記録する（ステップＳ２０６）。なお、画像のサイズとコントラストおよび色合いについて自動的に調整するように設定することも可能で、操作者の負担を軽減することができる。
【００５１】
このようにして、データを入力することができる。
【００５２】
表示部２の各ドットは、半導体発光素子を用いており、また、解像度が小さいので、デジタルカメラ等の液晶表示部に表示されている画像とは異なる表示となっているが、実際に表示部２に映し出される画像を見ながらコントラスト等を調整できるので、短時間で好みの表示を得ることができる。
【００５３】
なお、データの入力と出力の切り替えは、操作手段７によって行うことができる。データの出力時には、複数の加工データを、入力時に設定したスライド等の特殊機能に従って出力することができる。
【００５４】
また、パーソナルコンピュータを用いずに画像を入力し、編集できるので、発光表示装置１とは別の装置を準備する必要がなく、また、パーソナルコンピュータを用いた複雑な画像編集ソフトウェアの操作に習熟する必要もないので、入力データの入れ替えも簡単に行うことができる。
【００５５】
また、文字入力の必要があるときは、文字を書いたパネルをデジタルカメラ等で撮影し、これを画像データとして入力することができる。この場合、加工部に画面分割機能を設けて表示部２に表示される画面を分割し、画像と文字を別のフレームに表示したり、複数の画像データ、複数の文字データをそれぞれ表示することも可能である。
【００５６】
【発明の効果】
（１）半導体発光素子をマトリックス状に配置した表示部を備えた発光表示装置において、記憶媒体に記憶された画像データの読み取りを行う読み取り部と、この読み取り部から読み出されたデータに演算を行って表示部の解像度に合わせた加工データにする加工部とを設けたので、デジタルカメラ等から取り出した記憶媒体から直接データを読み取り、このデータを表示部に表示させることができ、パーソナルコンピュータを用いずにデータの入力ができる。
【００５７】
（２）加工部に、読み取り部から読み取るデータを選択し、表示部に表示されたデータから切り取り範囲を選択可能な操作手段を設けることにより、複数のデータを選別して不適なデータを除去し、切り取り範囲を選択して、データの特徴部分を抜き出すことができ、データの品質を向上させることができる。
【００５８】
（３）読み取り部の記憶媒体の着脱部を設け、この着脱部に防水手段を設けると、発光表示装置が濡れても着脱部に水分が浸入しにくくなり、製品の信頼性を向上させることができる。
【００５９】
（４）記憶媒体の着脱部を、筐体の下側または裏側に設けると、雨等の水分が着脱部の内部に浸入しにくくなり、製品の信頼性を向上させることができる。
【図面の簡単な説明】
【図１】本発明の発光表示装置の構成図
【図２】同発光表示装置の使用手順を示すフロー図
【図３】画像表示システムの構成例を示す図
【図４】従来のパーソナルコンピュータによる表示信号の作成手順を示すフロー図
【符号の説明】
１　発光表示装置
２　表示部
３　記憶部
４　読み取り部
６　加工部
７　操作手段
８　加工手段
１１　筐体
【図１】
2004144968.tif 000003
【図２】
2004144968.tif 000004
【図３】
2004144968.tif 000005
【図４】
2004144968.tif 000006